(57)【要約】【課題】  高さ調整補助具を用いることなく、脚の姿勢を適宜変更することで、少なくとも２態様の高さとなる脚に変更可能とする。【解決手段】  一対のほぼ同一寸法の長方形の板状部材１１、１２がその中心部で交差し固定したＸ形の型材１３から脚１０はなる。板状部材の長手方向に水平な交差箇所１４を頂点とする４つのＶ形の空間部１５、１６を形成し、左右の対の空間部１５は同一とし、更に上下の一対の空間部１６は同一とする。  これと共に、隣接する２つのＶ形の空間部１５、１６の挟角は相互に相違し、隣接する相違する角度の総和は１８０度とする。【選択図】図１
2012183270.tif 000002
【特許請求の範囲】
【請求項１】
多目的な脚において、
一対のほぼ同一寸法の長方形の板状部材がその中心部で交差し固定したＸ形の型材からなり、板状部材の長手方向に水平な前記の交差箇所を頂点とする４つのＶ形の空間部を形成し、上下の一対の空間部は同一とし、更に左右の一対の前記空間部は同一とすると共に、隣接する２つのＶ形の空間部の挟角は相互に相違し、隣接する相違する角度の総和は１８０度とすることを特徴とする脚。
【請求項２】
前記隣接する２つのＶ形の空間部の挟角は、一方が７０度で、他方が１１０度とすることを特徴とする請求項１記載の脚。
【請求項３】
請求項１または２記載の少なくとも１つの前記脚と、この脚により着脱可能に支持される天板を備えるテーブル。
【請求項４】
それぞれの前記空間部は物品収納部を兼ねることを特徴とする請求項１または２記載の脚。
【請求項５】
請求項１、２または４記載の前記脚は、物品収納用のラックとすることを特徴とする脚。
【請求項６】
Ｘ形の型材の一辺の斜辺の長さはＸ形の型材の長手方向の幅寸法の０．９４２倍以下としてあることを特徴とする請求項２または４記載の脚。
【請求項７】
前記脚の両端面が平坦な面としてあることを特徴とする請求項１、２、３、４、５または６記載の脚。
【請求項８】
請求項１、２、３、４、５または６記載の前記脚の使用方法において、
前記交差箇所を長手方向水平として、前記隣接する２つのＶ形の空間部の挟角のうち、広い挟角のＶ形の空間部が上下一対となる姿勢に前記脚を設定し、背の低い状態とし、脚の上に天板を載せて、テーブルとして使用する。
また、前記より背の高いテーブル用として前記脚を使用するときには、天板を前記脚から外し、前記脚を前記交差箇所周りに９０度回転させ、狭い挟角のＶ形の空間部が上下一対と成る姿勢に前記脚を変更し、脚の高さを前記広い挟角のＶ形の空間部が上下一対となる姿勢より高くし、この高くした前記脚に天板を乗せて、背の高いテーブルとすることを特徴とする脚の使用方法。
【請求項９】
請求項７記載の脚の使用方法において、請求項８記載の脚の使用方法に加えて、より背の高いテーブル用の脚として、前記脚を使用する場合には、前記脚の平坦な両端面を上下とし、前記脚の長手方向を垂直に起立させ、前記Ｘ形の型材の幅寸法を脚の高さ寸法とし、前記脚の上端の端面に天板を載せてより背の高いテーブルとして使用することを特徴とする脚の使用方法。
【請求項１０】
それぞれの前記空間部を物品収納部として使用する請求項８または９記載の脚の使用方法。
【請求項１１】
前記交差箇所を長手方向水平として、水平な載置面に前記脚を載せて、上向きの前記Ｖ形の空間部を、書類などの物品入れとし、前記脚をラックとして使用すること特徴とする請求項８または９記載の前記脚の使用方法。
【発明の詳細な説明】
【技術分野】
【０００１】  この発明は、主にテーブルに用いられる脚と、この脚を備えるテーブル及びこの脚の使用方法に関する。
【背景技術】
【０００２】  従来の脚は天板に一体としてあるか、高さ調整用のねじまたは補助脚が設けられている。天板に固定した脚が一定の高さ寸法のテーブルは、高さが規制され、この種の一台のテーブルを立食パーティー用のテーブル、パンフレットの頒布台、書見台、応接室のテーブル、打ち合わせ用のテーブルなどに転用することはできない。
事務机、学童用の机では高さ調整用のねじが使用されているが、別途調整具が必要となり、その構造が複雑となり、加えて天板の高さを立食パーティー用のテーブル、パンフレットの頒布台、書見台、応接室のテーブルなどの使用目的に応じて大きな寸法で変更するのは不可能である。
【発明の概要】
【発明が解決しようとする課題】
【０００３】  本件特定発明の課題は、高さ調整補助具を用いることなく、脚の姿勢を適宜変更することで、少なくとも２種の高さに適宜変更可能な脚を提供することである。関連発明の目的は、脚の姿勢を適宜変更することで、３種の高さに適宜変更可能とするとともにラックにも使用可能な脚を提供することである。
関連発明の目的は、種々用途のテーブルに適用可能な脚の使用方法を提供することである。
【課題を解決するための手段】
【０００４】  前記課題を解決するために、本件特定発明は、多目的な脚において、
一対のほぼ同一寸法の長方形の板状部材がその中心部で交差し固定したＸ形の型材からなり、板状部材の長手方向に水平な前記の交差箇所を頂点とする４つのＶ形の空間部を形成し、上下の一対の空間部は同一とし、更に左右の一対の前記空間部は同一とすると共に、隣接する２つのＶ形の空間部の挟角は相互に相違し、隣接する相違する角度の総和は１８０度とすることを特徴とするテーブル用の脚とする。
好ましくは、前記隣接する２つのＶ形の空間部の挟角は、一方が７０度で、他方が１１０度とする。
関連発明は、それぞれの前記空間部は物品収納部を兼ねる。
前記脚は、物品収納用のラックとすることもある。
前記脚の使用方法は次の通りである。
前記交差箇所を長手方向水平として、前記隣接する２つのＶ形の空間部の挟角のうち、広い挟角のＶ形の空間部が上下一対となる姿勢に前記脚を設定し、背の低い状態とし、脚の上に天板を載せて、テーブルとして使用する。この背の低いテーブルの例示としては、応接室用のテーブル、打ち合わせ用のテーブルが揚げられる。
また、前記より背の高いテーブル用として前記脚を使用するときには、天板を前記脚から外し、前記脚を前記交差箇所周りに９０度回転させ、狭い挟角のＶ形の空間部が上下一対と成る姿勢に前記脚を変更し、脚の高さを前記広い挟角のＶ形の空間部が上下一対となる姿勢より高くし、この高くした前記脚に天板を乗せて、背の高いテーブルとする。この背の高いテーブルの例示としては、書見台、事務机が揚げられる。
上向きとなる前記空間部はポスター、大型の絵画ファイルなどの物品収納部を兼ねる。必要に応じて、より背の高いテーブル用の脚として、前記脚を使用する場合には、前記脚の両端面は平坦な面とし、請求項６記載の発明における前記脚の両端面を上下とし、前記脚の長手方向を垂直に起立させ、前記Ｘ型材の幅寸法を脚の高さ寸法とし、前記脚の上端の端面に天板を載せて背の高いテーブルとして使用する。このより背の高いテーブルの例示としては立食パーティーのテーブルやパンフレット、カタログなどの頒布台が揚げられる。
前記脚は、物品収納用のラックとして使用することもある。
【発明の効果】
【０００５】  本件特定発明では、テーブル用の脚において、
脚の縦断面形状はＸ型とし、一対のほぼ同一寸法の長方形の板状部材がその中心部で交差し固定したＸ形の型材からなり、板状部材の長手方向に水平な前記の交差箇所を頂点とする４つのＶ形の空間部を形成し、上下の対の空間部は同一とし、更に左右の一対の前記空間部は同一とすると共に、隣接する２つのＶ形の空間部の挟角は相互に相違し、隣接する相違する角度の総和は１８０度とすることを特徴とするテーブル用の脚としてあるため、前記のように前記脚の姿勢を少なくとも２形態に変えることで、簡易に前記脚の高さを少なくとも２種に変更でき、使用目的に応じたテーブルを簡易に提供できる。換言すれば、単一の脚で簡易に背の高さの異なる数種のテーブルを形成できる。
関連発明である請求項７記載の発明においては、殊に前記脚の姿勢を前記３形態に変えることで、簡易に前記脚の高さを３種に変更でき、請求項１記載の特定発明より広範な使用目的に応じたテーブルを簡易に提供できる。それぞれの前記空間部は物品収納部を兼ねることも出来る。
前記脚は、物品収納用のラックとすることも出来る。前記脚と天板の接触箇所において、天板の底面と平行に前記脚の稜線を面取りすることもある。
前記脚の材質は問わないが、好ましくは木材、アクリル樹脂とする。
関連発明である方法発明では、前記脚を前記のように目的に応じて何ら補助具を用いずに脚の高さを適宜変えられ、ラックとしても使用できる。
【図面の簡単な説明】
【０００６】
【図１】  脚の１使用形態を示す側面図である。
【図２】  脚の他の使用形態を示す側面図である。
【図３】  脚の別の使用形態を示す側面図である。
【図４】  図２の天板を外した脚の斜視図である。
【発明を実施するための形態】
【０００７】  実施の形態１
この形態は、請求項１、２、４、６、７記載の発明の代表的な実施の形態である。
図１において、１０は、テーブル用の脚を示し、一対のほぼ同一寸法の長方形の板状部材１１、１２がその中心部で交差し固定したＸ形の型材１３からなる。
板状部材の長手方向に水平な前記の交差箇所１４を頂点とする４つのＶ形の空間部１５、１６を形成し、左右の対の空間部１５は同一とし、更に上下の一対の前記空間部１６は同一とする。これと共に、隣接する２つのＶ形の空間部１５、１６の挟角は相互に相違し、隣接する相違する角度の総和は１８０度とする。
前記脚１０の左右両端面１７、１８は平坦としてある。
好ましくは、前記隣接する２つの形の空間部１５、１６の挟角は、一方の空間部１５における挟角が７０度で、他方の空間部１６における挟角が１１０度とする（図４参照）。それぞれの前記空間部１５、１６は物品収納部を兼ねる。
前記Ｘ形の型材の一辺の斜辺の長さは、前記Ｘ形の型材の長手方向の幅寸法Ｂの少なくとも０．９４１７倍としてあることが好ましい。
前記脚１０の使用法を請求項２、８、９、１０記載の発明の代表的な実施の形態と併せて説明する。
前記交差箇所１４を長手方向水平として、前記隣接する２つのＶ形の空間部１５、１６の挟角のうち、広い挟角のＶ形の空間部１６が上下一対となる姿勢に前記脚１０を設定し、背の低い状態とし、脚１０の上に天板２０を載せて、応接室用のテーブル３０とする（図１参照）。
また、書見台、事務机４０の脚として前記脚１０を使用するときには、天板２０を前記脚１０から外し、前記脚１０を長手方向水平な前記交差箇所１４周りに９０度回転させ、狭い挟角のＶ形の空間部１５が上下一対と成る姿勢に前記脚１０を変更し、脚１０の高さを前記広い挟角のＶ形の空間部１６が上下一対となる姿勢より高くし、この高くした前記脚１０に天板２０を乗せて、書見台、事務机４０とする（図２参照）。
上向きとなる前記空間部１５、１６内の雑誌などを収納する。
パンフレット頒布台、立食パーティー用のテーブル５０用の脚として、前記脚１０を使用する場合には、前記脚１０の両端面１７、１８を上下とし、前記脚１０の長手方向を垂直に起立させ、前記ｘ型材の幅寸法を脚１０の高さ寸法とし、前記脚１０の上端の端面に天板２０を載せて背の高いパンフレット頒布台、パーティー用のテーブル５０とする（図３参照）。
戦記脚１０は天板２０の大きさに合わせて、複数個用いることもある。
実施の形態２
この形態は請求項５、１１記載の発明の代表的な形態で、前記脚１０が、物品収納用のラックとしてある。即ち、前記交差箇所１４を長手方向水平として、水平な載置面に前記脚１０を載せて、上向きの前記Ｖ形の空間部１５または１６を、書類などの物品入れとし、前記脚１０をラックとして使用する。
【実施例】
【０００８】  脚１０の長手方向の寸法であるＸ形の型板の幅寸法Ｂは８５ｃｍとする。
更にＸ形の型材の斜辺の寸法ｌは８０ｃｍとし、広い挟角のＶ形の空間部１５の角度は１１０度で、狭い挟角のＶ形空間部１６の角度は７０度とする。材質は木材とする。
【符号の説明】
【０００９】１０  脚
１５、１６  空間部
【図１】
2012183270.tif 000003
【図２】
2012183270.tif 000004
【図３】
2012183270.tif 000005
【図４】
2012183270.tif 000006